(57)【要約】【課題】光源としてのランプが直接見えないようにして照明器具自体に間接照明の機能を付与すると共に、ランプの交換を容易にすること。【解決手段】本を閉じた状態のブック型の形状をなし、内部を空洞とすると共に下面には略全体にわたって開口した開口部４を形成して光を透過しない材料でケース本体１を構成する。ケース本体１の上面に前後方向のスリット６を形成すると共に、このスリット６の前部に上部が連通したスリット７をケース本体１の正面に上下方向に形成する。ランプ１０はケース本体１の前部３ｂの内側のコーナー部に配置する。ランプ１０の光は上面のスリット６と正面のスリット７からのみ光が間接的に投光されるので、照明器具本体Ａ自体に間接照明の機能を付与することができる。ランプ１０の交換は下面の開口部４を介して行なう。【選択図】　　　　図１
2004146288.tif 000002
【特許請求の範囲】
【請求項１】
ブック型の形状をなし、内部を空洞とすると共に下面には略全体にわたって開口した開口部（４）を形成して光を透過しない材料でケース本体（１）を構成し、このケース本体（１）の下面を除くいずれかの１つ以上の面に少なくとも１つ以上の穴を穿孔し、前記穴より間接照明用の光を漏れ出させるランプ（１０）を、ケース本体（１）の前方や斜め前方から見た場合に該ランプ（１０）が前記穴を介して視認出来ない位置となるケース本体（１）の内部に配置していることを特徴とするブック型間接照明器具。
【請求項２】
本を閉じた状態のブック型の形状をなし、内部を空洞とすると共に下面には略全体にわたって開口した開口部（４）を形成して光を透過しない材料でケース本体（１）を構成し、このケース本体（１）の上面に前後方向のスリット（６）を形成すると共に、このスリット（６）の前部に上部が連通したスリット（７）をケース本体（１）の正面に上下方向に形成し、前記スリット（６）（７）より間接照明用の光を漏れ出させるランプ（１０）を、ケース本体（１）の前方や斜め前方から見た場合に該ランプ（１０）が前記スリット（６）（７）を介して視認出来ない位置となるケース本体（１）の内部に配置していることを特徴とするブック型間接照明器具。
【請求項３】
前記ケース本体（１）の下部に補強用のリブ（１７）を形成すると共に、このリブ（１７）の上面に溝（２０）を凹設し、この溝（２０）内にランプ（１０）の電源コード（１４）を収納配線していることを特徴とする請求項２記載のブック型間接照明器具。
【請求項４】
前記ケース本体（１）は配置面（２３）にスペーサ（２２）を介して配置していることを特徴とする請求項２又は請求項３に記載のブック型間接照明器具。
【請求項５】
本を略１８０度開いた状態のブック型の形状をなし、内部を空洞とすると共に下面には略全体にわたって開口した開口部（４）を形成して光を透過しない材料でケース本体（１）を構成し、このケース本体（１）の下面を除くいずれかの１つ以上の面に穴（３０）を穿孔し、前記穴（３０）より間接照明用の光を漏れ出させるランプ（１０）を、ケース本体（１）の前方や斜め前方から見た場合に該ランプ（１０）が前記穴（３０）を介して視認出来ない位置となるケース本体（１）の内部に配置していることを特徴とするブック型間接照明器具。
【請求項６】
前記ケース本体（１）の正面に本のページがめくれた状態に対応した三日月状の穴（３０）を穿孔すると共に、ケース本体（１）の上面に穴（３５）を穿孔し、下面を開口すると共に内部を空洞として所定の箇所に間接照明用の穴（３７）（４０）を穿孔した置物（３６）を形成し、前記穴（３５）の上に置物（３６）を置いていることを特徴とする請求項５に記載のブック型間接照明器具。
【請求項７】
本を略９０度開いた状態のブック型の形状をなし、内部を空洞とすると共に下面には略全体にわたって開口した開口部（４）を形成して光を透過しない材料でケース本体（１）を構成し、このケース本体（１）の下面を除くいずれかの面に穴（４１）（４２）を穿孔し、前記穴（４１）（４２）より間接照明用の光を漏れ出させるランプ（１０）を、ケース本体（１）の前方や斜め前方から見た場合に該ランプ（１０）が前記穴（４１）（４２）を介して視認出来ない位置となるケース本体（１）の内部に配置していることを特徴とするブック型間接照明器具。
【請求項８】
前記穴（４１）をケース本体（１）の正面に複数穿孔してこれら複数の穴（４１）でもって絵柄を構成していることを特徴とする請求項７に記載のブック型間接照明器具。
【請求項９】
前記ランプ（１０）を横向きにしてケース本体（１）の正面の下部の内壁面に沿って該ランプ（１０）がケース本体（１）の略中央部分に突出する形で該ランプ（１０）を配置していることを特徴とする請求項７または請求項８に記載のブック型間接照明器具。
【請求項１０】
前記ケース本体（１）は配置面（２３）にスペーサ（２２）を介して配置していることを特徴とする請求項７〜請求項９にいずれか記載のブック型間接照明器具。
【発明の詳細な説明】
【０００１】
【発明の属する技術分野】
本発明は、内部からほのかな明かりを漏らして見る人に癒しを与えるブック型間接照明器具に関するものである。
【０００２】
【従来の技術】
従来より間接照明としては、天井面に多数の照明器具を配設し、これらの照明器具のランプはカバーにて覆われておらず、斜め下方から見た場合に光源としてのランプが直接目に見えないように平板状のルーバーを配設している。
また、室内の間接照明としては、天井面に段差を設けてその段差の部分にランプが直接見えないように照明器具を配設し、この照明器具により間接照明を行なっている。
【０００３】
【発明が解決しようとする課題】
しかしながら、かかる前者の従来例においては、照明器具の下に来て上を見た場合には、ランプが直接目に入りまぶしく、遠くから見た場合には間接照明となるものの、近くでは間接照明にはならないという問題がある。
また、後者の従来例では、天井の一部を利用して間接照明としているものであり、照明器具自体が間接照明を行なうものではない。また、前者の場合も同様に照明器具とは別途のルーバーを用いて全体として間接照明を行なっているものである。
【０００４】
このように、従来からの間接照明は、照明器具自体が間接照明の機能を有しておらず、照明器具とは別体の部材と共に間接照明を行なっているものであり、また、間接照明用の照明器具を設置ないし配設する箇所も限られて、任意の場所、例えば、窓際やテーブル、あるいはサイドボードなどの家具の上に置けないという問題があった。
【０００５】
本発明は上述の問題点に鑑みて提供したものであって、少なくとも以下の目的を有するブック型間接照明器具を提供するものである。
▲１▼　光源としてのランプが直接見えないようにして照明器具自体に間接照明の機能を付与すること。
▲２▼　間接照明の機能を付与した照明器具を容易に持ち運びを可能として、任意の箇所に置くことができること。
▲３▼　単に間接照明の機能だけでなく、デザイン的にも向上させること。
▲４▼　間接照明の機能を付与した照明器具の形状をブック型にすると共に、内部のランプの交換を容易にすること。
▲５▼　特に、本を開いた形状の照明器具とした場合に、両側のページ部分へ効率良く光を漏れさせるようにすると同時に、厚みのない部分でのランプの交換を容易にすること。
【０００６】
【課題を解決するための手段】
そこで、本発明の請求項１記載のブック型間接照明器具では、ブック型の形状をなし、内部を空洞とすると共に下面には略全体にわたって開口した開口部４を形成して光を透過しない材料でケース本体１を構成し、このケース本体１の下面を除くいずれかの１つ以上の面に少なくとも１つ以上の穴を穿孔し、前記穴より間接照明用の光を漏れ出させるランプ１０を、ケース本体１の前方や斜め前方から見た場合に該ランプ１０が前記穴を介して視認出来ない位置となるケース本体１の内部に配置していることを特徴としている。
【０００７】
かかる構成とすることで、穴からは光源としてのランプ１０が直接見えず、穴からはランプ１０からの光がほのかに漏れ出て、照明器具自体に間接照明の機能を付与することができる。また、見る人を癒す働きをもすることになる。さらに、ランプ１０を交換する場合にはケース本体１の下面の開口部４を介して容易に行なうことができる。
【０００８】
請求項２記載のブック型間接照明器具では、本を閉じた状態のブック型の形状をなし、内部を空洞とすると共に下面には略全体にわたって開口した開口部４を形成して光を透過しない材料でケース本体１を構成し、このケース本体１の上面に前後方向のスリット６を形成すると共に、このスリット６の前部に上部が連通したスリット７をケース本体１の正面に上下方向に形成し、前記スリット６、７より間接照明用の光を漏れ出させるランプ１０を、ケース本体１の前方や斜め前方から見た場合に該ランプ１０が前記スリット６、７を介して視認出来ない位置となるケース本体１の内部に配置していることを特徴としている。
【０００９】
かかる構成とすることで、ランプ１０の光は上面のスリット６と正面のスリット７からのみ光が間接的に投光されるので、照明器具本体Ａ自体に間接照明の機能を付与することができ、スリット６、７からの光はほのかに漏れ出た光となり、見る人を癒す働きをすることになる。また、照明器具本体Ａを任意の場所に置くことができ、好きな場所で癒し効果を発揮することができる。また、ランプ１０を交換する場合にはケース本体１の下面の開口部４を介して容易に行なうことができる。
【００１０】
また、請求項３記載のブック型間接照明器具では、前記ケース本体１の下部に補強用のリブ１７を形成すると共に、このリブ１７の上面に溝２０を凹設し、この溝２０内にランプ１０の電源コード１４を収納配線していることを特徴としている。
これにより、照明器具本体Ａを見ても電源コード１４を視認することができず、照明器具本体Ａを見ても、内部の構造はほとんど見えず、間接照明用の照明器具本体Ａとしての機能を十分に発揮することができるものである。
【００１１】
請求項４記載のブック型間接照明器具では、前記ケース本体１は配置面２３にスペーサ２２を介して配置していることを特徴としている。
これにより、照明器具本体Ａを直に置いた場合に、ランプ１０の光が漏れ出てくる箇所は線状の２つのスリット６、７だけからであるが、照明器具本体Ａをスペーサ２２を介して置いた場合には、照明器具本体Ａの下面と配置面２３との間には空間部２４が生じる。このようにしてスペーサ２２を介して照明器具本体Ａを置いた場合には、底面の開口部４をほぼ全体にわたって形成しているので、照明器具本体Ａの下面の空間部２４からも光が漏れ出てきて、ちょうど照明器具本体Ａの下面の周囲から満遍なく光がほのかに放たれて、部屋が少し薄暗い場合などでは照明器具本体Ａが少し浮き上がったような感じを与え、見る人に幻想感を与え、間接照明の効果として一層癒し効果を発揮することができる。特に、ケース本体１の下面の開口部４は、ランプ１０の交換用だけでなく、光を漏れ出させて間接照明の機能を一層高める効果を兼ね備えているものである。
【００１２】
請求項５記載のブック型間接照明器具では、本を略１８０度開いた状態のブック型の形状をなし、内部を空洞とすると共に下面には略全体にわたって開口した開口部４を形成して光を透過しない材料でケース本体１を構成し、このケース本体１の下面を除くいずれかの１つ以上の面に穴３０を穿孔し、前記穴３０より間接照明用の光を漏れ出させるランプ１０を、ケース本体１の前方や斜め前方から見た場合に該ランプ１０が前記穴３０を介して視認出来ない位置となるケース本体１の内部に配置していることを特徴としている。
【００１３】
かかる構成とすることで、ランプ１０の光は穴３０の光と、ブック型のケース本体１の背張り部９と両端の表紙部２との間で形成される空間部３３からの光が間接的に投光されるので、照明器具本体Ａ自体に間接照明の機能を付与することができ、穴３０や空間部３３からの光はほのかに漏れ出た光となり、見る人を癒す働きをすることになる。また、照明器具本体Ａを任意の場所に置くことができ、好きな場所で癒し効果を発揮することができる。また、ランプ１０を交換する場合にはケース本体１の下面の開口部４を介して容易に行なうことができる。特に、ケース本体１の下面の開口部４は、ランプ１０の交換用だけでなく、光を漏れ出させて間接照明の機能を一層高める効果を兼ね備えているものである。
【００１４】
請求項６記載のブック型間接照明器具では、前記ケース本体１の正面に本のページがめくれた状態に対応した三日月状の穴３０を穿孔すると共に、ケース本体１の上面に穴３５を穿孔し、下面を開口すると共に内部を空洞として所定の箇所に間接照明用の穴３７、４０を穿孔した置物３６を形成し、前記穴３５の上に置物３６を置いていることを特徴としている。
これにより、ランプ１０からの光は穴３５、置物３６の内部を介して置物３６の穴３７、４０から漏れ出て、照明器具本体Ａと置物３６との全体で間接照明の機能を発揮することができ、照明器具本体Ａは、照明器具という概念から離れて意匠的効果をも発揮する間接照明用であって癒し効果を発揮する照明器具となる。
【００１５】
請求項７記載のブック型間接照明器具では、本を略９０度開いた状態のブック型の形状をなし、内部を空洞とすると共に下面には略全体にわたって開口した開口部４を形成して光を透過しない材料でケース本体１を構成し、このケース本体１の下面を除くいずれかの面に穴４１、４２を穿孔し、前記穴４１、４２より間接照明用の光を漏れ出させるランプ１０を、ケース本体１の前方や斜め前方から見た場合に該ランプ１０が前記穴４１、４２を介して視認出来ない位置となるケース本体１の内部に配置していることを特徴としている。
【００１６】
かかる構成とすることで、ランプ１０の光は穴４１、４２から間接的に投光されるので、照明器具本体Ａ自体に間接照明の機能を付与することができ、穴４１、４２からの光はほのかに漏れ出た光となり、見る人を癒す働きをすることになる。また、照明器具本体Ａを任意の場所に置くことができ、好きな場所で癒し効果を発揮することができる。また、ランプ１０を交換する場合にはケース本体１の下面の開口部４を介して行なうことができる。
【００１７】
請求項８記載のブック型間接照明器具では、前記穴４１をケース本体１の正面に複数穿孔してこれら複数の穴４１でもって絵柄を構成していることを特徴としている。
これにより、例えばフクロウをデザインすることで、意匠的な効果も発揮させることができる。
【００１８】
請求項９記載のブック型間接照明器具では、前記ランプ１０を横向きにしてケース本体１の正面の下部の内壁面に沿って該ランプ１０がケース本体１の略中央部分に突出する形で該ランプ１０を配置していることを特徴としている。
これにより、ケース本体１の両側への光の光量をほぼ均等にでき、同時に幅寸法のあまり厚みのないケース本体１でのランプ１０の交換の際には、ランプ１０の両側から指を容易に入れることができて、ランプ１０の交換を容易にすることができる。
【００１９】
請求項１０記載のブック型間接照明器具では、前記ケース本体１は配置面２３にスペーサ２２を介して配置していることを特徴としている。
これにより、照明器具本体Ａの下面の空間部４４からも光が漏れ出てきて、ちょうど照明器具本体Ａの下面の周囲から満遍なく光がほのかに放たれて、部屋が少し薄暗い場合などでは照明器具本体Ａが少し浮き上がったような感じを与え、見る人に幻想感を与え、間接照明の効果として一層癒し効果を発揮することができる。特に、ケース本体１の下面の開口部４は、ランプ１０の交換用だけでなく、光を漏れ出させて間接照明の機能を一層高める効果を兼ね備えているものである。
【００２０】
【発明の実施の形態】
（第１の実施の形態）
以下、本発明の第１の実施の形態を図１〜図７の図面を参照して詳細に説明する。図１はブック型間接照明用の照明器具本体Ａの斜視図を示し、図２は照明器具本体Ａの正面図を、図３は照明器具本体Ａの底面図をそれぞれ示している。
【００２１】
この間接照明用の照明器具本体Ａは、本の形状をしたケース本体１と、このケース本体１内に配置されるランプ１０とで構成されている。ケース本体１は本を閉じた形状に形成されており、材料はランプ１０の光を透過させない、例えば陶器製であり、両側の表紙部２を閉じた形状としている。また、ケース本体１の下面は図３に示すように略全体にわたって開口した開口部４が形成されており、人の手が十分に出し入れができるようになっている。
なお、照明器具本体Ａのケース本体１の大きさは、照明器具本体Ａ自体の形状をブック型としているので、Ｂ６版からＡ４版くらいの大きさとしてある。
【００２２】
ケース本体１の内部は、約５ｍｍ前後とした厚み部分を除いた空洞部５となっており、また、ケース本体１のページ部３の上部３ａの略中央部分にスリット６が前後方向に形成されている。さらにページ部３の前部３ｂの略中央部分にも上記スリット６の端部と上部が連通したスリット７が上下方向に形成されており、該スリット７の下部は下面を開口している。
このスリット６、７により本が少し開いた形状となっていて、両スリット６、７はケース本体１の内部の空洞部５と連通している。
【００２３】
ここで、光源としてのランプ１０は表紙部２の前部とページ部３の前部３ｂとの間のコーナー部の内側に配設し、ランプ１０がスリット６、７を介して外部からつまり、前方や斜め前方から見た場合に見えないようにしている。このランプ１０は図６に示すように、略コ字型の支持金具１１に装着してあるブラケット１２に回転ネジ式で着脱自在に装着される。
ブラケット１２の下部には先端にプラグ１３を設けた電源コード１４が接続されており、この照明器具本体Ａの電源は交流電源（ＡＣ１００Ｖ）としている。また、電源コード１４は支持金具１１の下部に設けた係止片１５にて係止されている。
【００２４】
支持金具１１の側板１６にはねじ穴（図示せず）が螺刻されていて、このねじ穴にビス止めすることで、支持金具１１をケース本体１に配設することが可能であるものの、本実施形態では、支持金具１１を接着剤にて表紙部２の内面若しくはページ部３の前部３ｂの内面に固定するようにしている。
【００２５】
図５は照明器具本体Ａの断面図を示し、表紙部２の下端は強度を上げるために内側に折り曲げたリブ１７を全周にわたって形成しており、このリブ１７を形成することにより形成される凹状の部分を溝２０として、この溝２０内に図３及び図４に示すように、電源コード１４を収納配線するようにしている。
また、図３に示すように、表紙部２の間の背張り部９の下面には下面を開口した溝状の凹部２１が凹設されており、この凹部２１を介して電源コード１４を外部に導出するようにしている。なお、電源コード１４の途中には図示していないが中間スイッチが介設されており、該中間スイッチにてランプ１０のオン、オフを行なうようになっている。
【００２６】
このようにして、電源コード１４のプラグ１３をコンセントに接続して上記の中間スイッチをオンすることで、ランプ１０が点灯される。ランプ１０が点灯すると、ランプ１０からの光は、図１に示すように、ページ部３の両スリット６、７から漏れてあたりを少し明るく照らすことになる。
そして、照明器具本体Ａを正面や斜めから見ても、ランプ１０はページ部３の前部３ｂの内側のコーナー部に配置されているので、外部からはランプ１０を視認することはできず、照明器具本体Ａは間接照明の機能を果たすことになる。
【００２７】
また、本実施形態における照明器具本体Ａは、周囲を明るく照らすための照明器具としてではなく、照明器具本体Ａを窓際や、テーブルやサイドボードなどの家具の上面に直接置いた場合に、図１に示すようにランプ１０の光は上面のスリット６と正面のスリット７からのみ光が間接的に投光されるので、照明器具本体Ａ自体に間接照明の機能を付与することができ、スリット６、７からの光はほのかに漏れ出た光となり、見る人を癒す働きをすることになる。また、照明器具本体Ａは、実際の本と大きさがほとんど同じなので、任意の場所に置くことができ、好きな場所で癒し効果を発揮することができる。
【００２８】
また、ランプ１０からの電源コード１４を表紙部２の内側の下部の溝２０内に配線することで、照明器具本体Ａを見ても電源コード１４を視認することができず、照明器具本体Ａを見ても、内部の構造はほとんど見えず、間接照明用の照明器具本体Ａとしての機能を十分に発揮することができるものである。
【００２９】
ランプ１０が切れてネジ式のランプ１０を交換する場合には、照明器具本体Ａを持ち上げて底面の開口部４から手を入れて、ランプ１０を回転させてブラケット１２から取り外し、新しいランプ１０と交換する。照明器具本体Ａの底面はほぼ全体を開口した開口部４を形成していることで、ランプ１０の交換を容易に行なうことができる。
【００３０】
ここで、図１に示すように、照明器具本体Ａを直に置いた場合に、ランプ１０の光が漏れ出てくる箇所は線状の２つのスリット６、７だけからであるが、照明器具本体Ａをスペーサ２２を介して置いた場合には、照明器具本体Ａの下面と配置面２３との間には空間部２４が生じる。
このようにしてスペーサ２２を介して照明器具本体Ａを置いた場合には、底面の開口部４をほぼ全体にわたって形成しているので、照明器具本体Ａの下面の空間部２４からも光が漏れ出てきて、ちょうど照明器具本体Ａの下面の周囲から満遍なく光がほのかに放たれて、部屋が少し薄暗い場合などでは照明器具本体Ａが少し浮き上がったような感じを与え、見る人に幻想感を与え、間接照明の効果として一層癒し効果を発揮することができる。
【００３１】
なお、本実施形態では、ランプ１０からの光を漏らす箇所として、中央部分の２つのスリット６、７としていたが、これらのスリット６、７以外、若しくはスリット６、７と共に、ページ部３、表紙部２、背張り部９などに穴をあけて、これらの穴から光を出して間接照明を行なうようにしても良い。穴の個数や形状はもちろん任意である。ただし、内部のランプ１０が見えない位置にこれらの穴をあけるようにするのが望ましい。
【００３２】
このように本実施形態では、照明器具本体Ａ自体に間接照明の機能を付与することができるものであり、また、照明器具本体Ａの形状を、一般的な照明器具の形状とは異なり、表紙を閉じたブック型としているので、見た人に強烈な印象を与え、デザイン的にも向上させることができる。しかも、ランプ１０を点灯させることで、間接照明の機能を発揮させることができ、また、ランプ１０の交換も開口部４を介して容易にでき、さらには、持ち運びができるので、照明器具本体Ａをどこにでも置くことができる。
また、照明器具本体Ａの底面に開口している開口部４は、単にランプ１０交換用の開口部だけでなく、ランプ１０の光を漏れ出させる機能をも有しているものである。
【００３３】
（第２の実施の形態）
次に、第２の実施形態を図８〜図１３により説明する。なお、本実施形態における照明器具本体Ａも機能的には先の実施形態と同様なので、同一の機能を発揮する要素には同一の番号を付して説明していく。
【００３４】
本実施形態の間接照明用の照明器具本体Ａもブック型の形状としており、先の実施形態とは逆に、本を１８０度開いた形状の照明器具本体Ａとしている。図８は照明器具本体Ａの正面図を示し、図９は照明器具本体Ａの平面図を、図１０は図９のＡ−Ａ断面図をそれぞれ示している。また、図１１は照明器具本体Ａの底面図を示している。
【００３５】
本実施形態では、ランプ１０からの光を漏らすための穴３０を、照明器具本体Ａを寝かして置いた状態で図８に示すように正面部３１の両側と、図１０に示すように背面部３２の両側のそれぞれ穿孔している。これらの穴３０は、本のページがめくれたような状態でページが上下に隙間を開けて重なっている形状の略三日月状の形状としている。
また、照明器具本体Ａのケース本体１の下面、本実施形態では表紙部２と背張り部９が下面となり、この下面には大きな開口部４が開口してある。そして、本の場合と同様に本を１８０度開いた場合には、中央の背張り部９と表紙部２の両端が配置面２３に当接して照明器具本体Ａが置かれる状態となる。
【００３６】
そして、図８及び図１０に示すように、中央の背張り部９と両側の表紙部２との間には略三角形状の空間部３３が形成され、上記の複数の穴３０からと、この空間部３３からもランプ１０の光が漏れ出るようになっている。この空間部３３は照明器具本体Ａの前部と後部にそれぞれ形成されていて、後部からも光が漏れ出るようになっている。
【００３７】
本実施形態におけるランプ１０は、ページ部３の下面の近傍に配置されるようになっており、図１１に示すように支持金具１１をビス３４にて留めるブラケット１２を固定し、このブラケット１２に先の実施形態と同様にランプ１０を着脱自在に装着している。
また、照明器具本体Ａのページ部３には図９に示すように穴はあけていないので、ランプ１０は照明器具本体Ａを置いた状態では容易に視認することはできないようになっている。
【００３８】
図８に示すような状態で照明器具本体Ａを配置面２３に置いてランプ１０を点灯させると、ランプ１０からの光は前後の穴３０と空間部３３からそれぞれ漏れ出て、照明器具本体Ａ自体に間接照明の機能を付与することができて、この間接照明の機能により癒し効果を発揮することになる。
また、ランプ１０を交換する場合には、照明器具本体Ａを持ち上げて、図１１に示すような状態でランプ１０を容易に持つことができて、底面の略全体にわたって開口している開口部４によりランプ１０を簡単に交換することができる。もちろん、この開口部４は、ランプ１０の交換用だけでなくランプ１０の光を漏れ出させる機能を兼ね備えているものである。もちろん、先の実施形態と同様の効果を発揮するものである。
【００３９】
なお、ランプ１０が見えないようなページ部３の箇所に穴をあけて、この穴から光を漏れ出させるようにしても良い。
【００４０】
図１２及び図１３は本実施形態の他の例を示している。先の例ではケース本体１の上面のページ部３にはあけずに閉塞させていたが、この例ではランプ１０側のページ部３に穴３５をあけて、この穴３５の上に内部を空洞とした置物３６を置くようにしたものである。
この置物３６は、例えば、うさぎとしたものであり、内部の空洞部分と目の黒い部分の両側の穴３７と耳の穴４０とがそれぞれ連通させていて、ランプ１０からの光をページ部３の穴３５、置物３６の内部の空洞部分、目の穴３７及び耳の穴４０からほのかに光を漏れ出させるようにしたものである。もちろん、穴３０や空間部３３からも光は漏れ出ている。このように、ランプ１０からの光は穴３５、置物３６の内部を介して置物３６の穴３７、４０から漏れ出て、照明器具本体Ａと置物３６との全体で間接照明の機能を発揮することができる。
【００４１】
なお、置物３６の種類は、例として、「うさぎ」としたが、他の動物の場合でも良く、また、置物３６は接着剤などで固定はせず、単に穴３５の上に置いているだけであるが、置物３６を穴３５を覆うようにして接着剤等で固定するようにしても良い。なお、置物３６は動物以外の物でも良い。
この例に示す照明器具本体Ａは、照明器具という概念から離れて意匠的効果をも発揮する間接照明用であって癒し効果を発揮する照明器具となる。
【００４２】
また、本実施形態では、第１の実施形態の場合と異なり、スペーサ２２を用いることなく、照明器具本体Ａの前後の下面から光をほのかに漏れ出させることができ、幻想的な効果を簡単に発揮することができる。
このように、照明器具本体Ａの下面の開口部４は、単にランプ１０の交換用にあけているだけでなく、ランプ１０の光を漏れ出させて間接照明の機能を一層発揮させることができる。
【００４３】
（第３の実施の形態）
次に、第３の実施形態を図１４〜図２０を用いて説明する。本実施形態における照明器具本体Ａの形状は、本を略９０度開いた状態の形状としており、開いたページ部３に穴をあけたものである。図１４は照明器具本体Ａの斜視図を示し、図１５は照明器具本体Ａの平面図を、図１６は照明器具本体Ａの底面図をそれぞれ示している。
【００４４】
この実施形態では、照明器具本体Ａのケース本体１の左側のページ部３には例えば、フクロウの絵柄のデザインとなるように多数の穴４１を穿設し、右側のページ部３の上部には月を思わせる少し大きな穴４２を穿設している。
また、ケース本体１の内部は図１６に示すように空洞部５が形成されており、下面は略く字状とした開口部４が形成されている。ランプ１０はビス３４にて固定された支持金具１１にて配置されており、ランプ１０はケース本体１の中央の下部に配置されている。
【００４５】
本実施形態のように本を略９０度開いた形状の照明器具本体Ａの場合に、ページ部３の左右の穴４１、４２から出来るだけ均等に光を漏れ出させる場合にはランプ１０を照明器具本体Ａの中央に配置する必要がある。
図１７はランプ１０を照明器具本体Ａの背張り部９の内側の立てた状態で配置した場合を示し、この状態のランプ１０の配置状態がランプ１０からの光を左右に均等に照らすことができる。なお、図１８は図１７のＡ−Ａ断面図を示している。
【００４６】
図１７に示す状態は、ブラケット１２を下側にして、ランプ１０を上向きに配置した状態であり、かかる場合には、ケース本体１の下面の開口部４の幅寸法Ｌが狭く、ランプ１０まで指が届かず、ランプ１０の交換が不可能である。なお、この場合、支持金具１１を固定しているビス３４をドライバ等の工具でもって支持金具１１ごと外す必要がある。
そこで、開口部４の開口面側にランプ１０を位置させた場合、つまり、ブラケット１２を上にしてランプ１０を下向きに配置すると、ランプ１０の交換は可能となるものの、ランプ１０よりブラケット１２の位置が上方にくるために、ブラケット１２によりランプ１０の光が遮られる光量が多くなって、全体に光が暗くなってしまうことになる。
【００４７】
そこで、ランプ１０の交換を兼ねているケース本体１の底面の開口部４の幅寸法Ｌが狭い場合でも、本実施形態では、ランプ１０の交換を容易にすると共に、光の光量を落とさずに工夫をしているものである。
すなわち、図１６に示すように、ランプ１０を上下方向に立てて配置するのではなく、ランプ１０を横向きにしてページ部３の下部内側面に沿ってケース本体１の中央部分へ突出させ、ランプ１０が中央に来る位置に配置する。
【００４８】
この状態で、ランプ１０の一方側は表紙部２の内側面との間で指が入る程度の空間部４５が形成され、ランプ１０の他方側はページ部３全体の大きさの空間部４６が形成されることになる。したがって、両側の空間部４５、４６により指にてランプ１０を回転させることができて、容易にランプ１０の交換を行なうことができる。
また、ランプ１０の位置も照明器具本体Ａのほぼ中央部の下部の位置させることができ、ランプ１０からの光をほぼ均等にページ部３の左右に投光することができる。なお、ブラケット１２を装着した支持金具１１の構造は先の実施形態と同様であり、表紙部２に穿孔した穴を介してビス３４により支持金具１１を固定している。
【００４９】
なお、本実施形態における支持金具１１の他の例としては、略コ字型で両側の片が外側に付勢する板バネ状で形成し、表紙部２とページ部３の間で該支持金具１１を弾接した状態で配置するようにしても良い。かかる場合には、ネジ止めをする必要がなく、ランプ１０を支持金具１１ごと外してランプ１０の交換を行なうことができる。
【００５０】
図１９は照明器具本体Ａを配置面２３に直接置いた場合を示しており、ランプ１０からの光は、フクロウのデザインを構成する多数の穴４１と、月を形どった円形の穴４２から漏れ出て、照明器具本体Ａ自体に間接照明の機能を付与することができる。また、ランプ１０の位置は図示するように照明器具本体Ａの中央の下部に配置してあるので、外部からは容易に視認することは不可能である。
【００５１】
また、図２０はスペーサ２２を介して照明器具本体Ａを配置面２３に置いた場合を示し、図７の場合と同様に照明器具本体Ａの下面と配置面２３との間に空間部４４が形成され、この空間部４４からも光がほのかに漏れ出ることになる。
このようにしてスペーサ２２を介して照明器具本体Ａを置いた場合には、底面の開口部４をほぼ全体にわたって形成しているので、照明器具本体Ａの下面の空間部４４からも光が漏れ出てきて、ちょうど照明器具本体Ａの下面の周囲から満遍なく光がほのかに放たれて、部屋が少し薄暗い場合などでは照明器具本体Ａが少し浮き上がったような感じを与え、見る人に幻想感を与え、間接照明の効果として一層癒し効果を発揮することができる。
【００５２】
なお、上記各実施形態において、光を漏れ出させる穴の形状は一例を示すものであり、どのような形状でも良く、多数の穴でもってフクロウの形状だけでなく、他の絵柄のデザインを施すようにしても良いものである。
また、第３の実施形態においては、照明器具本体Ａのページ部３の正面だけに穴４１、４２をあけていたが、背面の表紙部２やページ部３の側面にも穴をあけるようにしても良い。さらには、穴の形状としては、数字やアルファベットとしたり、また、古代エジプトの象形文字や楔形文字をあけるようにしても良いものである。
【００５３】
このように、各実施形態において、光源としてのランプ１０が直接見えないようにして照明器具本体Ａ自体に間接照明の機能を付与することができ、また、照明器具本体Ａの大きさも実際の本の大きさと同様としているので、持ち運びが可能となり、照明器具本体Ａを好きな任意の場所に置くことができる。
さらに、照明器具本体Ａの形状をブック型としているので、従来の照明器具の概念から離れて、デザイン的にも向上し、また、照明器具本体Ａの下面には略全体にわたって開口部４を形成しているので、ランプ１０の交換も容易にできると共に、単に開口部４はランプ１０の交換用ではなく、照明器具本体Ａをスペーサ２２を介して置くことで、下面からの光を漏れ出させることができ、より間接照明の機能を発揮させることができる。
【００５４】
特に、第３の実施形態では、ランプ１０の配置状態をランプ１０を上下方向に立てて配置するのではなく、ランプ１０を横向きにしてページ部３の下部内側面に沿って照明器具本体Ａの中央部分へ突出させ、ランプ１０が中央に来る位置に配置しているので、両側のページ部３への光の光量をほぼ均等にでき、同時に幅寸法のあまり厚みのないページ部３でのランプ１０の交換の際には、ランプ１０の両側から指を容易に入れることができて、ランプ１０の交換を容易にすることができる。
【００５５】
【発明の効果】
本発明の請求項１記載のブック型間接照明器具によれば、穴からは光源としてのランプが直接見えず、穴からはランプからの光がほのかに漏れ出て、照明器具自体に間接照明の機能を付与することができる。また、見る人を癒す働きをもすることになる。さらに、ランプを交換する場合にはケース本体の下面の開口部を介して容易に行なうことができる。
【００５６】
請求項２記載のブック型間接照明器具によれば、ランプの光は上面のスリットと正面のスリットからのみ光が間接的に投光されるので、照明器具本体自体に間接照明の機能を付与することができ、スリットからの光はほのかに漏れ出た光となり、見る人を癒す働きをすることになる。また、照明器具本体を任意の場所に置くことができ、好きな場所で癒し効果を発揮することができる。また、ランプを交換する場合にはケース本体の下面の開口部を介して容易に行なうことができる。
【００５７】
また、請求項３記載のブック型間接照明器具によれば、前記ケース本体の下部に補強用のリブを形成すると共に、このリブの上面に溝を凹設し、この溝内にランプの電源コードを収納配線しているので、照明器具本体を見ても電源コードを視認することができず、照明器具本体を見ても、内部の構造はほとんど見えず、間接照明用の照明器具本体としての機能を十分に発揮することができるものである。
【００５８】
請求項４記載のブック型間接照明器具によれば、前記ケース本体は配置面にスペーサを介して配置しているので、照明器具本体を直に置いた場合に、ランプの光が漏れ出てくる箇所は線状の２つのスリットだけからであるが、照明器具本体をスペーサを介して置いた場合には、照明器具本体の下面と配置面との間には空間部が生じる。このようにしてスペーサを介して照明器具本体を置いた場合には、底面の開口部をほぼ全体にわたって形成しているので、照明器具本体の下面の空間部からも光が漏れ出てきて、ちょうど照明器具本体の下面の周囲から満遍なく光がほのかに放たれて、部屋が少し薄暗い場合などでは照明器具本体が少し浮き上がったような感じを与え、見る人に幻想感を与え、間接照明の効果として一層癒し効果を発揮することができる。特に、ケース本体の下面の開口部は、ランプの交換用だけでなく、光を漏れ出させて間接照明の機能を一層高める効果を兼ね備えているものである。
【００５９】
請求項５記載のブック型間接照明器具によれば、ランプの光は穴の光と、ブック型のケース本体の背張り部と両端の表紙部との間で形成される空間部からの光が間接的に投光されるので、照明器具本体自体に間接照明の機能を付与することができ、穴や空間部からの光はほのかに漏れ出た光となり、見る人を癒す働きをすることになる。また、照明器具本体を任意の場所に置くことができ、好きな場所で癒し効果を発揮することができる。また、ランプを交換する場合にはケース本体の下面の開口部を介して容易に行なうことができる。特に、ケース本体の下面の開口部は、ランプの交換用だけでなく、光を漏れ出させて間接照明の機能を一層高める効果を兼ね備えているものである。
【００６０】
請求項６記載のブック型間接照明器具によれば、前記ケース本体の正面に本のページがめくれた状態に対応した三日月状の穴を穿孔すると共に、ケース本体の上面に穴を穿孔し、下面を開口すると共に内部を空洞として所定の箇所に間接照明用の穴を穿孔した置物を形成し、前記穴の上に置物を置いているので、ランプからの光は穴、置物の内部を介して置物の穴から漏れ出て、照明器具本体と置物との全体で間接照明の機能を発揮することができ、照明器具本体は、照明器具という概念から離れて意匠的効果をも発揮する間接照明用であって癒し効果を発揮する照明器具となる。
【００６１】
請求項７記載のブック型間接照明器具によれば、ランプの光は穴から間接的に投光されるので、照明器具本体自体に間接照明の機能を付与することができ、穴からの光はほのかに漏れ出た光となり、見る人を癒す働きをすることになる。また、照明器具本体を任意の場所に置くことができ、好きな場所で癒し効果を発揮することができる。また、ランプを交換する場合にはケース本体の下面の開口部を介して行なうことができる。
【００６２】
請求項８記載のブック型間接照明器具によれば、前記穴をケース本体の正面に複数穿孔してこれら複数の穴でもって絵柄を構成しているので、例えばフクロウをデザインすることで、意匠的な効果も発揮させることができる。
【００６３】
請求項９記載のブック型間接照明器具によれば、前記ランプを横向きにしてケース本体の正面の下部の内壁面に沿って該ランプがケース本体の略中央部分に突出する形で該ランプを配置しているので、ケース本体の両側への光の光量をほぼ均等にでき、同時に幅寸法のあまり厚みのないケース本体でのランプの交換の際には、ランプの両側から指を容易に入れることができて、ランプの交換を容易にすることができる。
【００６４】
請求項１０記載のブック型間接照明器具によれば、前記ケース本体は配置面にスペーサを介して配置しているので、照明器具本体の下面の空間部４４からも光が漏れ出てきて、ちょうど照明器具本体の下面の周囲から満遍なく光がほのかに放たれて、部屋が少し薄暗い場合などでは照明器具本体が少し浮き上がったような感じを与え、見る人に幻想感を与え、間接照明の効果として一層癒し効果を発揮することができる。特に、ケース本体の下面の開口部は、ランプの交換用だけでなく、光を漏れ出させて間接照明の機能を一層高める効果を兼ね備えているものである。
【図面の簡単な説明】
【図１】本発明の第１の実施の形態における照明器具本体の斜視図である。
【図２】本発明の第１の実施の形態における照明器具本体の正面図である。
【図３】本発明の第１の実施の形態における照明器具本体の底面図である。
【図４】（ａ）は本発明の第１の実施の形態におけるケース本体の要部拡大断面図である。
（ｂ）は本発明の第１の実施の形態におけるケース本体の要部拡大断面図である。
【図５】本発明の第１の実施の形態における照明器具本体の断面図である。
【図６】本発明の第１の実施の形態における支持金具にランプを装着した状態を示す図である。
【図７】本発明の第１の実施の形態におけるスペーサを介して照明器具本体を配置した場合の正面図である。
【図８】本発明の第２の実施の形態における照明器具本体の正面図である。
【図９】本発明の第２の実施の形態における照明器具本体の平面図である。
【図１０】本発明の第２の実施の形態における図９のＡ−Ａ断面図である。
【図１１】本発明の第２の実施の形態における照明器具本体の底面図である。
【図１２】本発明の第２の実施の形態における他の例の照明器具本体の平面図である。
【図１３】本発明の第２の実施の形態における他の例の照明器具本体の断面図である。
【図１４】本発明の第３の実施の形態における照明器具本体の斜視図である。
【図１５】本発明の第３の実施の形態における照明器具本体の平面図である。
【図１６】本発明の第３の実施の形態における照明器具本体の底面図である。
【図１７】本発明の第３の実施の形態におけるランプの配置構成を示す説明図である。
【図１８】本発明の第３の実施の形態におけるランプの配置構成を示す説明図である。
【図１９】本発明の第３の実施の形態における照明器具本体を配置した場合の正面図である。
【図２０】本発明の第３の実施の形態における照明器具本体をスペーサを介して配置した場合の正面図である。
【符号の説明】
Ａ　照明器具本体
１　ケース本体
４　開口部
５　空洞部
６　スリット
７　スリット
１０　ランプ
１４　電源コード
１７　リブ
２０　溝
２２　スペーサ
２３　配置面
３５　穴
３６　置物
３７　穴
４０〜４２　穴
【図１】
2004146288.tif 000003
【図２】
2004146288.tif 000004
【図３】
2004146288.tif 000005
【図４】
2004146288.tif 000006
【図５】
2004146288.tif 000007
【図６】
2004146288.tif 000008
【図７】
2004146288.tif 000009
【図８】
2004146288.tif 000010
【図９】
2004146288.tif 000011
【図１０】
2004146288.tif 000012
【図１１】
2004146288.tif 000013
【図１２】
2004146288.tif 000014
【図１３】
2004146288.tif 000015
【図１４】
2004146288.tif 000016
【図１５】
2004146288.tif 000017
【図１６】
2004146288.tif 000018
【図１７】
2004146288.tif 000019
【図１８】
2004146288.tif 000020
【図１９】
2004146288.tif 000021
【図２０】
2004146288.tif 000022